(57)【要約】【課題】  回転リング伝動装置（ドライブ）用切換装置における、方向切換レバーを取り付けるように働いているリングハウジングのピンの破損を低減せしめ、該装置の煩雑な解体修復作業をなくして装置の稼働率を上げるようにする。【解決手段】  回転リング伝動装置用切換装置であって、該切換装置は方向切換レバー(12)を有しており、該方向切換レバー(12)は該伝動装置ハウジング(18)の内側の回転リングハウジング(24)の取り付けとは関係ないようにして該伝動装置ハウジング(18)上に取り付けられている。【選択図】    図１
0003113754.tif 000002
【実用新案登録請求の範囲】
【請求項１】
回転リング伝動装置用切換装置であって、該切換装置は方向切換レバーを有しており、該方向切換レバーは該伝動装置ハウジングの内側の回転リングハウジングの取り付けとは独立しているようにして該伝動装置ハウジング上に取り付けられていることを特徴とする切換装置。
【請求項２】
該方向切換レバー用取付けピンは、回転ストッパに角度を有するようにして、独立しているアセンブリの部分として構成されており、該アセンブリは該伝動装置に脱着可能に結合せしめられていることを特徴とする請求項1記載の切換装置。
【請求項３】
該伝動装置ハウジング上の該方向切換レバーのための該取付けピン及び角度を付されている回転ストッパは、該ハウジングを製造する過程で直接的に射出成型可能な材料、鋳型成型可能な材料、あるいは成型可能な材料から生産せしめられ、そして該ハウジングに固定して結合せしめられていることを特徴とする請求項1記載の切換装置。
【請求項４】
該方向切換レバーの該取付けピン及び角度のある回転ストッパは、構成部品から該伝動装置ハウジングに後から取り付けられるものであることを特徴とする請求項1記載の切換装置。
【請求項５】
該方向切換レバーは、ストローク終端ストッパと機械的に直接接触することなく、外部エネルギーで操作される作動装置により軸支せしめられていることを特徴とする請求項1〜4のいずれか一に記載の切換装置。
【請求項６】
該方向切換レバーは、回転リング伝動装置のハウジング上に縦軸方向に変位できるように配列されており、且つ、ストローク終端ストッパとの接触によって走行方向とは反対方向に変位せしめられ、その結果、方向切換バネがその上部のデッド中心の位置を通るまでその切換バネがバイアスせしめられていることを特徴とする請求項1〜4のいずれか一に記載の切換装置。
【請求項７】
該リングハウジングと機械的に接触することなく外部の電磁力によって方向の切換が行われることを特徴とする請求項1〜4のいずれか一に記載の切換装置。
【請求項８】
実質的に添付図面に示されたものあるいはそれを参照して記載されたものであることを特徴とする請求項1〜６のいずれか一に記載の切換装置。
【請求項９】
回転リング伝動装置用切換装置であって、方向切換レバー(12)のための軸支部がリングハウジングピン(30)を介さずに回転リング伝動装置のハウジング(18)と連結されて、ストローク終端ストッパ(40)と方向切換レバー(12)の接触の際にリングハウジング(24)のピン(30)に作用する力を低減せしめてあり、しかも、もはやリングハウジングピン(30)が伝動装置ハウジング(18)を貫通している必要がないことを特徴とする請求項1に記載の切換装置。
【考案の詳細な説明】
【技術分野】
【０００１】
本考案は、ストローク終端ストッパと方向切換レバーの接触の際にリングハウジングのピンに作用する力を低減する為の回転リング伝動装置のための切換装置に関するものである。
【背景技術】
【０００２】
回転リング伝動装置は、ある角度の傾きのところでシャフト（軸体）と回転接触しつつ動いているところの回転するリングによって滑らかなシャフト（軸体）の回転運動をストローク運動に変換する摩擦利用のスクリュー式伝動体（ドライブ）である。このスクリュー式伝動装置は好ましくは繊維状の生産物をコイルとして均一に巻き上げるための巻線機内の付属具として使用されるものである。糸が不足する結果として、ピッチだけではなくピッチの方向も、そしてそれ故に回転リング伝動装置のストロークの方向も一定の軸回転とともに変化可能であり、その結果としてそのようなスクリュー式伝動装置は永続的な往復運動に理想的に適しているものである。
【０００３】
【特許文献１】なし
【考案の開示】
【考案が解決しようとする課題】
【０００４】
これまでに提案されてきた回転リング伝動装置においては、方向切換レバーは伝動装置ハウジングを貫通して外側に突き出ているリングハウジングのピンの上に直接的に回転可能に取り付けられており、それは該リングハウジングに関して軸として作用している。ストローク終端ストッパ上のそれぞれのストローク終端のところで方向切換レバーに当たる結果、該方向切換レバーを取り付けるように働いているリングハウジングのピンの上に曲げようとする負荷やせん断負荷がかかることになり、それはしばしばこのリングハウジングピンが破断する(折れる)ことを引き起こす。回転リング伝動装置を取り外して（解体して）、該シャフトから回転リング伝動装置を取り除き、それを開いて、該リングハウジングを取換えることにより、破損したリングハウジングを取り換えることが必要である。この複雑な処理の間、当該製造機は稼動できない。
【０００５】
方向切換レバーを取り付けるように働いているリングハウジングのピンは直径を実質的に大きくすることは不可能である。なぜならその固有の軸受部は該回転するリングハウジングに関して軸として作用するようなスペースである必要があるから、直径ができるだけ小さくなっている必要があるからである。軸受部の直径が大きくなればなるほど、該回転するリングを含有している少なくとも３個のリングハウジングは一層離れていなければならないことになる。該リングハウジングは回転するリングを同じ角度で軸回転せしめるために接続部材で結合せしめられている。回転リング伝動装置が長くなればなるほど、その利用できるストロークは、ある与えられた長さに関して小さなものとなる。
【課題を解決するための手段】
【０００６】
本考案は、これらの問題を解決しようとするにある。
したがって、本考案は、回転リング伝動装置（回転リングドライブ）用切換装置であって、該切換装置が方向切換レバーを有しており、そして該方向切換レバーが該伝動装置ハウジングの内側の回転リングハウジングの取り付けとは関係ないようにして該伝動装置ハウジング上に取り付けられていることを特徴とする切換装置に関するものである。本考案は、これまでに提案されてきた方向切換装置の問題点を簡単な方法で避けることができるという利点を与え、且つ、切換動作の間に生じる衝撃力をリングハウジングのピンに伝えることが無いという利点を与えている。離れた位置の支承ピン（該支承ピンはリングハウジングとは完全に無関係となっている）上で該方向切換レバーの取り付けが行われ、それ故に、いかなるせん断力も曲げの力も当該リングハウジングのピンには作用する可能性がないのである。
【０００７】
本考案の好適で有利な態様では、該方向切換レバー用取付けピンは、回転ストッパに角度を持たせると共に、独立しているアセンブリの部分として構成されており、該アセンブリは該伝動装置に脱着可能に結合せしめられていることを特徴とする。本具体的な態様では、回転リング伝動装置はシャフト（軸体）を取り出すことを必要とすることなくあるいは回転リング伝動装置を開けることを必要とすることなく、切換装置を完全に取替えることが可能で、それで機械を停止しておく時間を明らかに減らすことができる。
例えば、本考案では、次の態様が提供される。
〔１〕回転リング伝動装置用切換装置であって、該切換装置は方向切換レバーを有しており、該方向切換レバーは該伝動装置ハウジングの内側の回転リングハウジングの取り付けとは関係ないようにして該伝動装置ハウジング上に取り付けられていることを特徴とする切換装置。
〔２〕該方向切換レバー用取付けピンは、回転ストッパに角度を有するようにして、独立しているアセンブリの部分として構成されており、該アセンブリは該伝動装置に脱着可能に結合せしめられていることを特徴とする上記〔１〕記載の切換装置。
〔３〕該伝動装置ハウジング上の該方向切換レバーのための該取付けピン及び角度を付された回転ストッパは、該ハウジングを製造する過程で直接的に射出成型可能な材料、鋳型成型可能な材料、あるいは成型可能な材料から生産せしめられ、そして該ハウジングに固定して結合せしめられていることを特徴とする上記〔１〕記載の切換装置。
〔４〕該方向切換レバーの該取付けピン及び角度を付された回転ストッパは、構成部品から該伝動装置ハウジングに後から取り付けられるものであることを特徴とする上記〔１〕記載の切換装置。
〔５〕該方向切換レバーは、ストローク終端ストッパと機械的に直接接触することなく、外部エネルギーで操作される作動装置（アクチュエーター）により軸支せしめられていることを特徴とする上記〔１〕〜〔４〕のいずれか一に記載の切換装置。
〔６〕該方向切換レバーは、回転リング伝動装置のハウジング上に縦軸方向に変位できるように配列されており、且つ、ストローク終端ストッパとの接触によって走行方向とは反対方向に変位せしめられ、その結果、方向切換バネがその上部のデッド中心の位置を通るまでその切換バネがバイアスせしめられていることを特徴とする上記〔１〕〜〔４〕のいずれか一に記載の切換装置。
〔７〕該リングハウジングと機械的に接触することなく外部の電磁力によって方向の切換が行われることを特徴とする上記〔１〕〜〔４〕のいずれか一に記載の切換装置。
〔８〕実質的に添付図面に示されたものあるいはそれを参照して記載されたものであることを特徴とする上記〔１〕〜〔６〕のいずれか一に記載の切換装置。
〔９〕回転リング伝動装置用切換装置であって、方向切換レバー(12)のための軸支部がリングハウジングピン(30)を介さずに回転リング伝動装置のハウジング(18)と連結されて、ストローク終端ストッパ(40)と方向切換レバー(12)の接触の際にリングハウジング(24)のピン(30)に作用する力を低減せしめてあり、しかももはやリングハウジングピン(30)が伝動装置ハウジング(18)を貫通している必要がないことを特徴とする上記〔１〕に記載の切換装置。
【考案の効果】
【０００８】
請求項１あるいは９の考案によれば、本考案は、これまでに提案されてきた切換装置の問題点を簡単な方法で避けることができるという利点を与え、且つ、切換動作の間に生じる衝撃力をリングハウジングのピンに伝えることが無いという利点を与えている。離れた位置の支承ピン（該支承ピンはリングハウジングとは完全に無関係となっている）上で該方向切換レバーの取り付けが行われ、それ故に、いかなるせん断力も曲げの力も当該リングハウジングのピンには作用する可能性がないのである。
請求項２の考案によれば、回転リング伝動装置はシャフト（軸）を取り出すことを必要とすることなくあるいは回転リング伝動装置は開けられることを必要とすることなく、切換装置を完全に取替えることが可能で、それで機械を停止しておく時間を明らかに減らすことができる。
【考案を実施するための最良の形態】
【０００９】
本考案の回転リング伝動装置用切換装置の実施例につき、添付図面の助けを借りながら、以下に記載を行う。
図１は、本考案の切換装置の平面図を示している。図２は、図１に示している回転リング伝動装置を有している切換装置の断面図を示している。図３は、本考案の切換装置の独立しているアセンブリ状態の斜視図を示している。図４は、図１に示している本考案の切換装置を、図１の左側面から見たときの外観を示し、そこには一部切り欠き断面部を付して、方向切換レバーと回転リングハウジングとの間の結合様式がわかるように示してある側面図である。
【００１０】
図１において、方向切換レバー(12)は支承ピン(14)の上に回転可能に取り付けられており、該支承ピン(14)はプレート(10)の上に取り付けられている。制限用ストッパ(16)（本ストッパ(16)は、当該方向切換レバー(12)の動く角度αを制限している）も、該プレート(10)の上に取り付けられている。該制限ストッパ(16)は中心ピン(17)を有し、該中心ピン(17)はその外側の端の周りにクッション材を備えたものである。該プレート(10)は４個のボルト(22)によって伝動装置ハウジング(18)に取り付けられている。
【００１１】
図２は該伝動装置ハウジング(18)の内部を示すもので、該伝動装置ハウジング(18)は実質的に長方形のボックスであり、この例では、回転リング(26)を含有している３個の回転リングハウジング(24)を含有しており、且つ、回転リング(26)の中心に一列に並ぶようになって互いに反対側端部に開口(28)（本開口(28)は、稼動状態にある場合には、シャフトがそれを貫通するようにするためのものである）を持っている。該回転リングハウジング(24)は、該伝動装置ハウジング(18)の中に回転可能なようにして取り付けられている。該回転リングハウジング(24)は、互いに反対の側に位置する２個のピン(30)をそれぞれ備え、そして該ピン(30)は該伝動装置ハウジング(18)の壁のところのハブ(32)と係合している。
【００１２】
該回転伝動装置ハウジング(18)及び該プレート(10)の上の構成部材は、該リングハウジング(24)の材料とは対照的に、高強度の材料から成っていて、かつ、破断しないようなほぼ任意の大きさの直径を有するものであってよい。図３は、該プレート(10)が簡単に取り外し可能な部品であることを示している。
【００１３】
図４は、方向切換レバー(12)と真ん中にある回転リングハウジング(24)との結合様式を示すものである。該方向切換レバー(12)はスプリング(35)によって支承ピン(14)から一番離れたその端部のところで一つの回転リングハウジング(24)の上にある差込口(34)に
結合せしめることが可能である。該差込口(34)は該伝動装置ハウジング(18)の中の孔部(36)を貫通して突き出ているものである。本例においては、該プレート(10)も図１や図３に示した凹んだ部分(38)を有しており、該差込口(34)が配置収容できるようになっている。
該凹んだ部分(38)は該プレート(10)の端部の一つの真ん中に位置している。該凹んだ部分(38)の中央は、２個の制限ストッパ(16)の間の中ほどにある。
【００１４】
操作中の場合、該回転リング伝動装置がそのストロークの終わりに達して、切換装置の切換レバー(12)が該ストローク終端ストッパ(40)（該終端ストッパ(40)は、図１に図示して示されているように、予め決められたストローク終了位置に配置されている）に突き当たると、該スプリング(35)に力が働く（本目的のためには１以上のスプリングをもつことが可能である）。該方向切換レバー(12)が該上部のデッド中心の位置を越えて通った後に、該方向切換スプリング(35)は接続用プレートに連結せしめられているリングハウジング(24)に軸支されて取り付けられている該回転リング(26)にそのエネルギーを放出する結果、その凹んだ部分の方向がそれとは反対の方向に変化せしめられ、それに応じて、該回転リング伝動装置がその動く方向を変えることになる。次に、該方向切換レバー(12)は一度それが角度αだけ回転したら該制限用ストッパ(16)の一つによってその動きを停止せしめられる。
【００１５】
該切換レバー(12)がストローク終端ストッパ(40)にぶつかることによって生ずる力のすべては該支承ピン(14)と制限ストッパ(16)を介した切換装置により吸収され、直接に該伝動装置ハウジング(18)の中へと導かれる。リングハウジング(24)のピン(30)は該伝動装置ハウジング(18)を通って外側に突き出てはいないし、本方向切換プロセスにより負荷を受けることはない。それゆえに、内部の回転質量を減少せしめるため、リングハウジング(24)を極めて軽い材料から製造すること、好ましくは、方向切換時間を縮める為にアルミニウム又はプラスチック材料から製造することが可能になっている。これによってフィラメント状の材料を巻き付ける際にコイルフランジ上で材料の望ましくない組み立て作業を減らすことができる。
【図面の簡単な説明】
【００１６】
【図１】本考案の切換装置の平面図である。
【図２】図１に示している回転リング伝動装置を有している切換装置の断面図である。
【図３】本考案の切換装置の独立しているアセンブリ状態の斜視図である。
【図４】図１に示している本考案の切換装置を、図１の左側面から見たときの外観を示し、そこには一部切り欠き断面を付して方向切換レバーと回転リングハウジングとの間の結合様式が示してある側面図である。
【符号の説明】
【００１７】
14    支承ピン
12    方向切換レバー
18    伝動装置ハウジング
24    リングハウジング
17    ピン
16    制限ストッパ
35    バネ
40    ストローク終端ストッパ
26    回転リング
【図１】
0003113754.tif 000003
【図２】
0003113754.tif 000004
【図３】
0003113754.tif 000005
【図４】
0003113754.tif 000006
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
回転リング伝動装置用切換装置であって、該切換装置はプレート(10)の上に取り付けられている支承ピン(14)に回転可能に取り付けられた方向切換レバー(12)を有しており、該プレート(10)は該回転リング伝動装置ハウジング(18)の上に取り付けられており、該方向切換レバーは該回転リング伝動装置ハウジング(18)の内側の回転リングハウジング(24)に取り付けることなく、それとは独立しているようにして、該回転リング伝動装置ハウジング(18)上に取り付けられていることを特徴とする切換装置。
【請求項２】
該方向切換レバー取付け用支承ピン(14)は、該回転リング伝動装置ハウジング(18)に脱着可能に取り付けられる独立したアセンブリの部分として構成され、且つ、方向切換レバー(12)と回転ストッパ(16)と組み合わさって、角度が付与されるように構成されていることを特徴とする請求項１記載の切換装置。
【請求項３】
該回転リング伝動装置ハウジング上の該方向切換レバー取付けピン(14)及び角度を与えるための回転ストッパ(16)は、該ハウジングを製造する過程で直接的に射出成型可能な材料、鋳型成型可能な材料、あるいは成型可能な材料から生産せしめられ、そして該ハウジングに固定して結合せしめられていることを特徴とする請求項１記載の切換装置。
【請求項４】
該方向切換レバー取付けピン(14)及び角度を与えるための回転ストッパ(16)は、該伝動装置ハウジング(18)に、構成部品として、後から取り付けられるものであることを特徴とする請求項１記載の切換装置。
【請求項５】
該方向切換レバー(12)は、外部エネルギーで操作される作動装置により、ストローク終端ストッパ(40)と機械的に直接接触して、支承ピン(14)を軸にして回転せしめられることを特徴とする請求項１〜４のいずれか一に記載の切換装置。
【請求項６】
該方向切換レバー(12)は、回転リング伝動装置のハウジング(18)上にシャフト軸方向に変位できるように配列されており、且つ、ストローク終端ストッパ(40)との接触によって走行方向とは反対方向に変位せしめられ、その結果、方向切換レバー(12)がその上部のデッド中心の位置を通るまで方向切換スプリング(35)はバイアスせしめられていることを特徴とする請求項１〜４のいずれか一に記載の切換装置。
【請求項７】
該リングハウジングと機械的に接触することなく外部の電磁力によって方向の切換が行われることを特徴とする請求項１〜４のいずれか一に記載の切換装置。
【請求項８】
実質的に添付図面に示されたものあるいはそれを参照して記載されたものであることを特徴とする請求項1〜６のいずれか一に記載の切換装置。
【請求項９】
回転リング伝動装置用切換装置であって、方向切換レバー(12)の軸支部は回転リング伝動装置のハウジング(18)に取り付けられており、該方向切換レバー(12)の軸支部がリングハウジングピン(30)を介さないので、ストローク終端ストッパ(40)と方向切換レバー(12)の接触の際のリングハウジング(24)のピン(30)に作用する力を低減せしめてあり、しかも、もはやリングハウジングピン(30)が伝動装置ハウジング(18)を貫通している必要がないものであることを特徴とする請求項１に記載の切換装置。